(57)【要約】      （修正有）【課題】サステインパルス個数の増加なしにプラズマディスプレイパネルの輝度を増加できるし電力消耗と熱の発生を最小化できるプラズマディスプレイパネルの駆動装置及び駆動方法を提供する。【解決手段】このプラズマディスプレイ装置はスキャン電極とサステイン電極を含むプラズマディスプレイパネルと、前記スキャン電極に第1サステインパルスを印加するスキャン電極駆動部と、前記サステイン電極に前記第1サステインパルスと交互に第2サステインパルスを印加するサステイン電極駆動部と、前記スキャン電極及び前記サステイン電極に前記第1サステインパルス及び前記第2サステインパルスが交互に印加される時前記第1サステインパルス及び前記第2サステインパルスにピークパルスを重畳させるピークパルス印加部を含む。【選択図】図２
2006039570.tif 000002
【特許請求の範囲】
【請求項１】
表示パネルと、
スキャン電極とサステイン電極を含むプラズマディスプレイパネルと、 
前記スキャン電極に第１サステインパルスを印加するスキャン電極駆動部と、 
前記サステイン電極に前記第１サステインパルスと交互に第２サステインパルスを印加するサステイン電極駆動部と、
前記スキャン電極及び前記サステイン電極に前記第１サステインパルス及び前記第２サステインパルスが交互に印加される時前記第１サステインパルス及び前記第２サステインパルスにピークパルスを重畳させるピークパルス印加部と
を含むことを特徴とするプラズマディスプレイ装置。
【請求項２】
前記ピークパルス印加部は、 
前記第１サステインパルス及び前記第２サステインパルスを形成するサステイン電圧が前記スキャン電極及び前記サステイン電極に印加される時前記ピークパルスを重畳させることを特徴とする、請求項１記載のプラズマディスプレイ装置。
【請求項３】
前記ピークパルス印加部は、 
入力受けた直四角形波をトリガーパルス形態の前記ピークパルスで変換して前記サステインパルスに重畳させることを特徴とする、請求項１記載のプラズマディスプレイ装置。
【請求項４】
前記スキャン電極駆動部は第１エネルギー回収回路を含んで、 
前記ピークパルス印加部は、 
前記第１エネルギー回収回路によってエネルギーが供給された後前記第１サステインパルスを形成するサステイン電圧が印加される時前記ピークパルスを重畳させることを特徴とする、請求項１記載のプラズマディスプレイ装置。
【請求項５】
前記サステイン電極駆動部は第２エネルギー回収回路を含んで、 
前記ピークパルス印加部は、 
前記第２エネルギー回収回路によってエネルギーが供給された後前記第２サステインパルスを形成するサステイン電圧が印加される時前記ピークパルスを重畳させることを特徴とする、請求項１記載のプラズマディスプレイ装置。
【請求項６】
前記ピークパルス印加部は、 
前記スキャン電極に印加されるサステインパルスに重畳されるための前記ピークパルスを出力する第１ピークパルス生成部、前記第１ピークパルス生成部によって出力された前記ピークパルスを前記スキャン電極に印加される前記サステインパルスに重畳させる第１結合回路部、前記サステイン電極に印加されるサステインパルスに重畳されるためのピークパルスを出力する第２ピークパルス生成部及び前記第２ピークパルス生成部によって出力された前記ピークパルスを前記サステイン電極に印加される前記サステインパルスに重畳させる第２結合回路部を含むことを特徴とする、 請求項１記載のプラズマディスプレイ装置。
【請求項７】
前記第１ピークパルス生成部は、 
微分回路を含んで前記微分回路を利用して入力受けた直四角形波をトリガーパルス形態の陽のピークパルスと陰のピークパルスで変換して、 
前記第１結合回路部は、 
前記第１ピークパルス生成部によって変換された陽のピークパルスと陰のピークパルスの中で陽のピークパルスのみを前記サステインパルスに重畳させることを特徴とする、 請求項６記載のプラズマディスプレイ装置。
【請求項８】
前記第２ピークパルス生成部は、 
微分回路を含んで前記微分回路を利用して入力受けた直四角形派をトリガーパルス形態の陽のピークパルスと陰のピークパルスで変換して、 
前記第２結合回路部は、 
前記第２ピークパルス生成部によって変換された陽のピークパルスと陰のピークパルスの中で陽のピークパルスのみを前記サステインパルスに重畳させることを特徴とする、請求項６記載のプラズマディスプレイ装置。 
【請求項９】
前記第２ピークパルス生成部は、 
微分回路を含んで前記微分回路を利用して入力受けた直四角形波をトリガーパルス形態の陽のピークパルスと陰のピークパルスで変換して、
前記第２結合回路部は、 
前記第２ピークパルス生成部によって変換された陽のピークパルスと陰のピークパルスの中で陽のピークパルスのみを前記サステインパルスに重畳させることを特徴とする、請求項７記載のプラズマディスプレイ装置。
【請求項１０】
前記第２ピークパルス生成部は、
前記直四角形波の上昇過程で前記トリガーパルス形態の陽のピークパルスを生成して前記直四角形波の下降過程で陰のピークパルスを生成することを特徴とする、請求項８記載のプラズマディスプレイ装置。
【請求項１１】
前記第１結合回路部は、 
アノード端は前記第１ピークパルス生成部と繋がれる第１ダイオードと一方端は前記第１ダイオードのカソード端と繋がれて他方端は前記スキャン電極に繋がれる第１キャパシターを含むことを特徴とする、請求項７記載のプラズマディスプレイ装置。
【請求項１２】
前記第２結合回路部は、 
アノード端は前記第２ピークパルス生成部と繋がれる第２ダイオードと一方端は前記第２ダイオードのカソード端と繋がれて他方端は前記サステイン電極に繋がれる第２キャパシターを含むことを特徴とする、請求項８記載のプラズマディスプレイ装置。
【請求項１３】
前記スキャン電極駆動部は第１エネルギー回収回路を含んで、 
前記ピークパルス印加部は、 
前記第１エネルギー回収回路によってエネルギーが供給された後前記第１サステインパルスを形成するサステイン電圧が印加される時前記ピークパルスを重畳させることを特徴とする、請求項６記載のプラズマディスプレイ装置。
【請求項１４】
前記サステイン電極駆動部は第２エネルギー回収回路を含み、 
前記ピークパルス印加部は、 
前記第２エネルギー回収回路によってエネルギーが供給された後前記第２サステインパルスを形成するサステイン電圧が印加される時前記ピークパルスを重畳させることを特徴とする、請求項６記載のプラズマディスプレイ装置。
【請求項１５】
スキャン電極とサステイン電極を含むプラズマディスプレイパネルと、 
前記スキャン電極に第１サステインパルスを印加するスキャン電極駆動部と、 
前記サステイン電極に前記第１サステインパルスと交互に第２サステインパルスを印加するサステイン電極駆動部と、
前記スキャン電極及び前記サステイン電極にサステインパルスが印加される時前記サステインパルスにピークパルスを重畳させるピークパルス生成部を含み、 
前記ピークパルス生成部は、 
前記スキャン電極に印加されるサステインパルスに重畳されるためのピークパルスを出力する第１ピークパルス生成部、前記第１ピークパルス生成部によって出力された前記ピークパルスを前記スキャン電極に印加される前記サステインパルスに重畳させる第１結合回路部、前記サステイン電極に印加されるサステインパルスに重畳されるためのピークパルスを出力する第２ピークパルス生成部及び前記第２ピークパルス生成部によって出力された前記ピークパルスを前記サステイン電極に印加される前記サステインパルスに重畳させる第２結合回路部と
を含むことを特徴とするプラズマディスプレイ装置。
【請求項１６】
スキャン電極とサステイン電極に交互に印加される第１サステインパルス及び第２サステインパルスによって放電が維持されるプラズマディスプレイ装置の駆動方法において、       前記第１サステインパルスが前記スキャン電極に印加される時第１ピークパルスが重畳される段階と、
前記第２サステインパルスが前記サステイン電極に印加される時第２ピークパルスが重畳される段階を含むことを特徴とするプラズマディスプレイ装置の駆動方法。
【請求項１７】
前記第１ピークパルスは、 
前記スキャン電極に前記第１サステインパルスを形成するサステイン電圧が印加される時重畳されることを特徴とする、請求項１６記載のプラズマディスプレイ装置の駆動方法。
【請求項１８】
前記第２ピークパルスは、 
前記サステイン電極に前記第２サステインパルスを形成するサステイン電圧が印加される時重畳されることを特徴とする、請求項１６記載のプラズマディスプレイ装置の駆動方法。
【請求項１９】
前記第１ピークパルスは、 
前記第１サステインパルスの形成のためにエネルギーが前記プラズマパネルに注入された後サステイン電圧が印加される時重畳されることを特徴とする、請求項１６記載のプラズマディスプレイ装置の駆動方法。
【請求項２０】
前記第２ピークパルスは、 
前記第２サステインパルスの形成のためにエネルギーが前記プラズマパネルに注入された後サステイン電圧が印加される時重畳されることを特徴とする、請求項１６記載のプラズマディスプレイ装置の駆動方法。
【発明の詳細な説明】
【技術分野】
【０００１】
本発明はプラズマディスプレイパネルの駆動方法及び駆動装置に関し、より詳しくはピークパルスを利用したプラズマディスプレイパネルの駆動装置及び駆動方法に関する。
【背景技術】
【０００２】
図1は一般的なプラズマディスプレイパネルの駆動波形を示したのである。図1に示すように、プラズマディスプレイパネルは全画面を初期化させるためのリセット期間、すなわち、初期化期間、セルを選択するためのアドレス期間及び選択されたセルの放電を維持させるためのサステイン期間で分けられて駆動される。
【０００３】
初期化期間において、セットアップ(ｓｅｔ−ｕｐ)期間(ＳＵ)にはすべてのスキャン電極 (Ｙ)に上昇ランプパルス(Ｒａｍｐ−ｕｐ)が同時に印加される。この上昇ランプパルスによって全画面のセル内には暗放電が起きる。このセットアップ放電によってアドレス電極(Ｘ)とサステイン電極(Ｚ)上には正極性壁電荷が積もるようになって、スキャン電極(Ｙ)上には負極性の壁電荷が積もるようになる。
【０００４】
セットダウン期間(ＳＤ)には下降ランプパルス(Ｒａｍｐ−ｄｏｗｎ)が印加される。下降ランプパルス(Ｒａｍｐ−ｄｏｗｎ)は上昇ランプパルスのピーク電圧より低い正極性電圧から落ち始めて基底電圧(ＧＮＤ)または負極性の特定電圧レベルまで落ちることでセル内に過度に形成された壁電荷の一部を消去する。下降ランプパルス(Ｒａｍｐ−ｄｏｗｎ)によってアドレス放電が安定に起きることができるほどの壁電荷がセル内に均一に残る。
【０００５】
アドレス期間にはスキャンパルス(Ｓｃａｎ)がスキャン/サステイン電極(Ｙ)に順に印加されると同時にスキャンパルス(Ｓｃａｎ)に同期されてアドレス電極(Ｘ)にデータパルス(ｄａｔｅ)が印加される。
【０００６】
スキャンパルス(Ｓｃａｎ)とデータパルス(ｄａｔｅ)の電圧差と初期化期間に生成された壁電圧が加わりながらデータパルス(ｄａｔｅ)が印加されるセル内にはアドレス放電が発生される。アドレス放電によって選択されたセル内にはサステイン電圧が印加される時放電が起きることができるようにする位の壁電荷が形成される。
【０００７】
サステイン電極(Ｚ)にはセッダウン期間(ＳＤ)とアドレス期間の間にスキャン電極(Ｙ)との電圧のためを減らしてスキャン電極(Ｙ)との誤放電が起きないようにバイアス電圧(Ｚｄｃ)が印加される。
【０００８】
サステイン期間にはスキャン電極(Ｙ)とサステイン電極(Ｚ)に交番的にサステインパルス(Ｓｕｓ)が印加される。アドレス放電によって選択されたセルはセル内の壁電圧とサステインパルスが加わりながら毎サステインパルスが印加される時毎にスキャン電極(Ｙ)とサステイン電極(Ｚ)の間にサステイン放電すなわち、表示放電が起きるようになる。
【０００９】
前記サステイン放電が完了する後にはパルス幅と電圧レベルが小さなランプ波形(Ｒａｍｐ−ｅｒｓ)がサステイン電極(Ｚ)に供給されて前画面のセル内に残る壁電荷を消去させるようになる。
【００１０】
このような駆動波形によってプラズマディスプレイパネルの輝度を高めるためにはサステイン期間にスキャン電極(Ｙ)とサステイン電極(Ｚ)に印加されるサステインパルスの個数が増加しなければならない。
【００１１】
しかし輝度を高めるためにサステインパルスの個数が増加すれば、消費電力が増加して駆動回路とプラズマディスプレイパネルで発生する熱が増加してプラズマディスプレイパネルの信頼性に問題が起こって残像が深刻になる。このような問題は消費電力及び駆動素子に対する負担が増加されてプラズマディスプレイパネルの信頼性及び動作に悪影響を及ぼすようになるなど問題が発生する。
【発明の開示】
【発明が解決しようとする課題】
【００１２】
本発明の目的は、サステインパルス個数の増加なしにプラズマディスプレイパネルの輝度を増加させることにある。プラズマディスプレイパネルの駆動方法及び駆動装置
また、本発明のまた他の目的は電力消耗と熱の発生を最小化させることができるプラズマディスプレイパネルの駆動方法及び駆動装置を提供することにある。
【課題を解決するための手段】
【００１３】
本発明のプラズマディスプレイ装置はスキャン電極とサステイン電極を含むプラズマディスプレイパネルと前記スキャン電極に第１サステインパルスを印加するスキャン電極駆動部と前記サステイン電極に前記第１サステインパルスと交互に第２サステインパルスを印加するサステイン電極駆動部と前記スキャン電極及び前記サステイン電極に前記第１サステインパルス及び前記第２サステインパルスが交互に印加される時前記第１サステインパルス及び前記第２サステインパルスにピークパルスを重畳させるピークパルス印加部を含む。
【００１４】
本発明の他のプラズマディスプレイ装置はスキャン電極とサステイン電極を含むプラズマディスプレイパネルと前記スキャン電極に第１サステインパルスを印加するスキャン電極駆動部と前記サステイン電極に前記第１サステインパルスと交互に第２サステインパルスを印加するサステイン電極駆動部と前記スキャン電極及び前記サステイン電極にサステインパルスが印加される時前記サステインパルスにピークパルスを重畳させるピークパルス生成部を含んで、前記ピークパルス生成部は前記スキャン電極に印加されるサステインパルスに重畳されるためのピークパルスを出力する第１ピークパルス生成部、前記第１ピークパルス生成部によって出力された前記ピークパルスを前記スキャン電極に印加される前記サステインパルスに重畳させる第１結合回路部、前記サステイン電極に印加されるサステインパルスに重畳されるためのピークパルスを出力する第２ピークパルス生成部及び前記第２ピークパルス生成部によって出力された前記ピークパルスを前記サステイン電極に印加される前記サステインパルスに重畳させる第２結合回路部を含むことを特徴とする。 
【００１５】
本発明のプラズマディスプレイ装置の駆動方法は前記第１サステインパルスが前記スキャン電極に印加される時第１ピークパルスが重畳される段階と前記第２サステインパルスが前記サステイン電極に印加される時第２ピークパルスが重畳される段階を含むことを特徴とする。
【００１６】
前記ピークパルス印加部は前記第１サステインパルス及び前記第２サステインパルスを形成するサステイン電圧が前記スキャン電極及び前記サステイン電極に印加される時前記ピークパルスを重畳させることを特徴とする。
【００１７】
前記ピークパルス印加部は入力受けた直四角形波をトリガーパルス形態の前記ピークパルスで変換して前記サステインパルスに重畳させることを特徴とする。
【００１８】
前記スキャン電極駆動部は第１エネルギー回収回路を含んで、前記ピークパルス印加部は前記第１エネルギー回収回路によってエネルギーが供給された後前記第１サステインパルスを形成するサステイン電圧が印加される時前記ピークパルスを重畳させることを特徴とする。
【００１９】
前記サステイン電極駆動部は第２エネルギー回収回路を含んで、前記ピークパルス印加部は前記第２エネルギー回収回路によってエネルギーが供給された後前記第２サステインパルスを形成するサステイン電圧が印加される時前記ピークパルスを重畳させることを特徴とする。
【００２０】
前記ピークパルス印加部は前記スキャン電極に印加されるサステインパルスに重畳されるための前記ピークパルスを出力する第１ピークパルス生成部、前記第１ピークパルス生成部によって出力された前記ピークパルスを前記スキャン電極に印加される前記サステインパルスに重畳させる第１結合回路部、前記サステイン電極に印加されるサステインパルスに重畳されるためのピークパルスを出力する第２ピークパルス生成部及び前記第２ピークパルス生成部によって出力された前記ピークパルスを前記サステイン電極に印加される前記サステインパルスに重畳させる第２結合回路部を含むことを特徴とする。
【００２１】
前記第１ピークパルス生成部は微分回路を含んで前記微分回路を利用して入力受けた直四角形波をトリガーパルス形態の陽のピークパルスと陰のピークパルスで変換して、前記第１結合回路部は前記第１ピークパルス生成部によって変換された陽のピークパルスと陰のピークパルスの中で陽のピークパルスのみを前記サステインパルスに重畳させることを特徴とする。
【００２２】
前記第２ピークパルス生成部は微分回路を含んで前記微分回路を利用して入力受けた直四角形波をトリガーパルス形態の陽のピークパルスと陰のピークパルスで変換して、前記第２結合回路部は前記第２ピークパルス生成部によって変換された陽のピークパルスと陰のピークパルスの中で陽のピークパルスのみを前記サステインパルスに重畳させることを特徴とする。
【００２３】
前記第１ピークパルス生成部は前記直四角形波の上昇過程で前記トリガーパルス形態の陽のピークパルスを生成して前記直四角形波の下降過程で陰のピークパルスを生成することを特徴とする。
【００２４】
前記第２ピークパルス生成部は前記直四角形波の上昇過程で前記トリガーパルス形態の陽のピークパルスを生成して前記直四角形波の下降過程で陰のピークパルスを生成することを特徴とする。
【００２５】
前記第１結合回路部はアノード端は前記第１ピークパルス生成部と繋がれる第１ダイオードと一方端は前記第１ダイオードのカソード端と繋がれて他方端は前記スキャン電極に繋がれる第１キャパシターを含むことを特徴とする。
【００２６】
前記第２結合回路部はアノード端は前記第２ピークパルス生成部と繋がれる第２ダイオードと一方端は前記第２ダイオードのカソード端と繋がれて他方端は前記サステイン電極に繋がれる第２キャパシターを含むことを特徴とする。
【００２７】
前記スキャン電極駆動部は第１エネルギー回収回路を含んで、前記ピークパルス印加部は前記第１エネルギー回収回路によってエネルギーが供給された後前記第１サステインパルスを形成するサステイン電圧が印加される時前記ピークパルスを重畳させることを特徴とする。
【００２８】
前記サステイン電極駆動部は第２エネルギー回収回路を含んで、前記ピークパルス印加部は前記第２エネルギー回収回路によってエネルギーが供給された後前記第２サステインパルスを形成するサステイン電圧が印加される時前記ピークパルスを重畳させることを特徴とする。
【００２９】
前記第１ピークパルスは前記スキャン電極に前記第１サステインパルスを形成するサステイン電圧が印加される時重畳されることを特徴とする。
【００３０】
前記第２ピークパルスは前記サステイン電極に前記第２サステインパルスを形成するサステイン電圧が印加される時重畳されることを特徴とする。
【００３１】
前記第１ピークパルスは前記第１サステインパルスの形成のためにエネルギーが前記プラズマパネルに注入された後サステイン電圧が印加される時重畳されることを特徴とする。
【００３２】
前記第２ピークパルスは前記第２サステインパルスの形成のためにエネルギーが前記プラズマパネルに注入された後サステイン電圧が印加される時重畳されることを特徴とする。
【発明の効果】
【００３３】
本発明によるプラズマディスプレイ装置及びその駆動方法はピークパルスの重畳を通じてサステインパルス個数の増加なしも輝度とコントラストが増加するので電力消耗と熱発生を最小化することができるしプラズマディスプレイ装置の信頼性及び安定的な動作を保障する效果がある。
【発明を実施するための最良の形態】
【００３４】
以下では本発明による具体的な実施形態を添付された図面を参照して説明する。
【００３５】
図２は本発明によるプラズマディスプレイ装置のブロック構成図である。図２に示すようにを本発明によるプラズマディスプレイ装置はコントローラー部２１０、アドレス電極駆動部２２０、スキャン電極駆動部２３０、サステイン電極駆動部２４０、サステインパルス制御部２５０及びピークパルス印加部２５５を含む。
【００３６】
〈コントローラー部〉
コントローラー部２１０は映像データにあたるサーブフィールドの数と各サーブフィールドの割り当てされるサステインパルスの個数を制御して、各サーブフィールドにあたるサステインパルスが印加されるためのＹタイミング信号及びＺタイミング信号を出力してＹタイミング信号及びＺタイミング信号それぞれに同期化された第１ピークパルス形成信号と第２ピークパルス形成信号を出力する。
【００３７】
〈アドレス電極駆動部〉
アドレス電極駆動部２２０はＸタイミング信号によってアドレスゾングックにデータパルスを印加する。
【００３８】
〈スキャン電極駆動部〉
スキャン電極駆動部２３０はＹタイミング信号によってスキャン電極にサステインパルスを印加する。
【００３９】
〈サステイン電極駆動部〉
サステイン電極駆動部２４０はＺタイミング信号によってサステイン電極にサステインパルスを印加する。
【００４０】
〈サステインパルス制御部〉
サステインパルス制御部２５０はコントローラー部２１０によって各サーブフィールドに割り当てされたサステインパルスの個数とＹタイミング信号及びＺタイミング信号によってスキャン電極駆動部２３０及びサステイン電極駆動部２４０を制御する。
【００４１】
〈ピークパルス印加部〉
ピークパルス印加部２５５はピークパルスを生成してスキャン電極及びサステイン電極にサステインパルスが交互に印加される時サステインパルスにピークパルスを重畳させる。このようなピークパルス印加部２５５は第１ピークパルス生成部２６０、第１結合回路部２７０、第２ピークパルス生成部２８０及び第２結合回路部２９０を含む。
【００４２】
第１ピークパルス生成部２６０はコントローラー部２１０によって出力された第１ピークパルス形成信号を入力受けて第１ピークパルスを出力する。第１ピークパルス生成部２６０は微分回路を含んで直四角形波形態の第１ピークパルス形成信号を入力受けてトリガーパルスを出力する。すなわち、第１ピークパルス生成部２６０は直四角形波の上昇端でトリガーパルス(trigger pulse)形態の陽のピークパルスを出力して直四角形波の下降端でトリガーパルス形態の陰のピークパルスを出力する。
【００４３】
第１結合回路部２７０は第１ピークパルス生成部２６０から出力された陰のピークパルスをとり除いて陽のピークパルスをスキャン電極に印加されるサステインパルスに重畳させる。この時、第１結合回路部２７０は、陽のピークパルスをスキャン電極にサステイン電圧が印加される時重畳させる。
【００４４】
第２ピークパルス生成部２８０はコントローラー部２１０によって出力された第２ピークパルス形成信号を入力受けて第２ピークパルスを出力する。第２ピークパルス生成部２８０は微分回路を含んで直四角形波形態の第２ピークパルス形成信号を入力受けてトリガーパルスを出力する。すなわち、第２ピークパルス生成部２８０は直四角形波の上昇端でトリガーパルス(trigger pulse)形態の陽のピークパルスを出力して直四角形波の下降端でトリガーパルス形態の陰のピークパルスを出力する。
【００４５】
第２結合回路部２９０は第２ピークパルス生成部２８０から出力された陰のピークパルスをとり除いて陽のピークパルスをサステイン電極に印加されるサステインパルスに重畳させる。この時、第２結合回路部２９０は、陽のピークパルスをサステイン電極にサステイン電圧が印加される時に重畳させる。
【００４６】
<実施形態１>
図３は本発明に含まれた第１ピークパルス生成部、第２ピークパルス生成部、第１結合回路部、第２結合回路部及び各電極駆動部の第１実施形態を示すごとである。図４は本発明によるサステインパルス波形図の第１実施形態である。
【００４７】
図３に示すように、コントローラー部２１０から直四角形波形態の第１ピークパルス形成信号を入力受けた第１ピークパルス生成部２６０はトリガーパルス形態の陽のピークパルスとトリガーパルス形態の陰のピークパルスを出力する。
【００４８】
第１結合回路部２７０は第１ダイオード(Ｄ１)と第１キャパシター(Ｃ１)を含む。第１ダイオード(Ｄ１)のアノード端は第１ピークパルス生成部２６０と繋がれて第１ダイオード(Ｄ１)のカソード端は第１キャパシター(Ｃ１)の一方端が繋がれる。また、第１キャパシター(Ｃ１)の他方端はスキャン電極(Ｙ)と繋がれる。
【００４９】
したがって、第１ピークパルス生成部２６０で出力された陽のピークパルスは第１結合回路部２７０の第１ダイオード(Ｄ１)と第１キャパシター(Ｃ１)を経ってスキャン電極(Ｙ)に印加される。また、第１ピークパルス生成部２６０で出力された陰のピークパルスは第１結合回路部２７０の第１ダイオード(Ｄ１)によって遮られる。
【００５０】
このように第１結合回路部２７０を通じて形成されたピークパルスはスキャン電極駆動部２３０の第１スィッチ(Ｑ１)がターンオンされる時パネルキャパシター(Ｃｐ)に印加されるサステイン電圧(Ｖｓ)と重畳される。
【００５１】
第１ピークパルス生成部２６０が陽のピークパルスを出力する時点はスキャン電極駆動部２３０がスキャン電極(Ｙ)にサステイン電圧を印加する時点である。よって、図４に示すようにサステイン電圧(Ｖｓ)がスキャン電極(Ｙ)に印加される時点に第１結合回路部２７０を通じる陽のピークパルスが重畳されるので、スキャン電極(Ｙ)の 電位（Ｖｙ）はサステインパルスとピークパルスが重畳されて現われる。
【００５２】
すなわち、スキャン電極駆動部２３０の第１スィッチ(Ｑ１)がスキャン電極(Ｙ)にサステイン電圧(Ｖｓ)を印加する時点で第１ピークパルス生成部２６０が陽のピークパルスを第１結合回路部２７０を通じてスキャン電極(Ｙ)に印加する。これによって、スキャン電極(Ｙ)の電位(Ｖｙ)はサステインパルスとピークパルスが重畳されて現われる。
【００５３】
第２ピークパルス生成部２８０と第２結合回路部２９０の動作は第１ピークパルス生成部２６０と第１結合回路部２７０の動作と同様である。
【００５４】
すなわち、第２結合回路部２９０は第２ダイオード(Ｄ２)と第２キャパシター(Ｃ２)を含む。第２ピークパルス生成部２８０で出力された陽のピークパルスは第２結合回路部２９０を経ってサステイン電極(Ｚ)に印加される。また、第２ピークパルス生成部２８０で出力された陰のピークパルスは第２結合回路部２９０の第２ダイオード(Ｄ２)によって遮られる。
【００５５】
このように第２結合回路部２９０を通じて形成されたピークパルスはサステイン電極駆動部２４０の第３スィッチ(Ｑ３)がターンオンされる時サステイン電極(Ｚ)に印加されるサステイン電圧(Ｖｓ)と重畳される。
【００５６】
第２ピークパルス生成部２８０が陽のピークパルスを出力する時点はサステイン電極駆動部２４０がサステイン電極(Ｚ)にサステインパルスを印加する時点である。よって、図４に示すようにサステイン電圧(Ｖｓ)がサステイン電極(Ｚ)に印加される時点に第２結合回路部２９０を通じる陽のピークパルスが重畳されるので、サステイン電極(Ｚ)の電位（Ｖｚ）はサステインパルスとピークパルスが重畳されて現われる。
【００５７】
すなわち、サステイン電極駆動部２４０の第３スィッチ(Ｑ１)がサステイン電極(Ｚ)にサステイン電圧(Ｖｓ)を印加する時点で第２ピークパルス生成部２８０が陽のピークパルスを第２結合回路部２９０を通じてサステイン電極(Ｚ)に印加する。これによって、サステイン電極(Ｚ)の電位（Ｖｚ）はサステインパルスとピークパルスが重畳されて現われる。
【００５８】
この時、図３に示すようにスキャン電極駆動部２３０とサステイン電極駆動部２４０はエネルギー回収回路がないからスキャン電極(Ｙ)とサステイン電極の電位(Ｖｙ、Ｖｚ)は矩形波のサステインパルスにピークパルスが重畳された形態である。
<実施形態２>
図５は本発明に含まれた第１ピークパルス生成部、第２ピークパルス生成部、第１結合回路部、第２結合回路部及び各電極駆動部の第２実施形態を示すのである。図６は本発明によるサステインパルス波形図の第２実施形態である。
【００５９】
図３の第１実施形態ではスキャン電極駆動部２３０及びサステイン電極駆動部２４０がエネルギー回収回路を含まないが図５の第２実施形態ではスキャン電極駆動部２３０及びサステイン電極駆動部２４０がそれぞれ第１エネルギー回収回路２３５と第２エネルギー回収回路２４５を含む。
【００６０】
これに従って第１ピークパルス生成部２６０及び第１結合回路部２７０と第２ピークパルス生成部２８０及び第２結合回路部２９０はピークパルスを第１エネルギー供給/回収用キャパシター(Ｃｅｒ１)または第２エネルギー供給/回収用キャパシター(Ｃｅｒ２)からエネルギーが供給された後サステイン電圧(Ｖｓ)が印加される時点にスキャン電極(Ｙ)またはサステイン電極(Ｚ)に印加する。
【００６１】
このようにピークパルスが印加されれば図６に示すようにスキャン電極またはサステイン電極の電位(Ｖｙ、Ｖｚ)はサステインパルスとピークパルスが重畳された形態で現われる。
【００６２】
本発明によるプラズマディスプレイ装置による波形はピークパルスの印加によって強い放電が一度起きて、サステインパルスによってもう一つの放電が発生する。すなわちサステインパルスによる放電と共にピークパルスによる強放電がもう一度起きるので輝度上昇はもちろんコントラスト(ｃｏｎｔｒａｓｔ)も上昇する。
【００６３】
したがって、サステインパルス個数の増加なしでも輝度とコントラストが増加するので本発明の駆動装置は電力消耗と熱発生を最小化することができるしプラズマディスプレイ装置の信頼性及び安定的な動作を提供する。
【図面の簡単な説明】
【００６４】
【図１】一般的なプラズマディスプレイパネルの駆動波形を示す図。
【図２】本発明によるプラズマディスプレイ装置のブロック構成図。
【図３】本発明に含まれた第１ピークパルス生成部、第２ピークパルス生成部、第１結合回路部、第２結合回路部及び各電極駆動部の第１実施形態を示す図。
【図４】本発明によるサステインパルス波形図の第１実施形態を示す図。
【図５】本発明に含まれた第１ピークパルス生成部、第２ピークパルス生成部、第１結合回路部、第２結合回路部及び各電極駆動部の第２実施形態を示す図であり、
【図６】本発明によるサステインパルス波形図の第２実施形態を示す図である。
【図２】
2006039570.tif 000003
【図３】
2006039570.tif 000004
【図４】
2006039570.tif 000005
【図５】
2006039570.tif 000006
【図６】
2006039570.tif 000007
【図１】
2006039570.tif 000008